(57)【要約】【課題】パネル組立体に対して一体的に組立てられると共に、効率を最大化させたフィルタ組立体を提供する。【解決手段】ベースフィルム２５１と、ベースフィルム２５１上に形成された電磁波遮蔽フィルタ２５２と、ベースフィルム２５１上に形成され、ヘイズ値が２０パーセント未満であり、鏡面反射率が１パーセント未満である表面反射フィルム２５３と、を備える。【選択図】図４
2007279736.tif 000002
【特許請求の範囲】
【請求項１】
ベースフィルムと、
前記ベースフィルム上に形成された電磁波遮蔽フィルタと、
前記ベースフィルム上に形成され、ヘイズ値が２０パーセント未満であり、鏡面反射率が１パーセント未満である表面反射フィルムと、を備えるフィルタ組立体。
【請求項２】
前記表面反射フィルムは、直径１ｎｍ〜１ｍｍの複数の突起部が表面に形成された防眩フィルムを含むことを特徴とする請求項１に記載のフィルタ組立体。
【請求項３】
前記表面反射フィルムは、ヘイズ値が０.５〜１０パーセントであることを特徴とする請求項１に記載のフィルタ組立体。
【請求項４】
前記表面反射フィルムは、低屈折層と高屈折層とが積層された反射防止フィルムを含むことを特徴とする請求項１に記載のフィルタ組立体。
【請求項５】
前記表面反射フィルムは、直径１ｎｍ〜１ｍｍの複数の突起部が表面に形成された防眩フィルムと、低屈折層と高屈折層とが積層された反射防止フィルムとが付着された混合フィルムを含むことを特徴とする請求項１に記載のフィルタ組立体。
【請求項６】
前記電磁波遮蔽フィルタは、前記ベースフィルムの一の面に形成され、前記表面反射フィルムは、前記ベースフィルムの他の面に形成されたことを特徴とする請求項１に記載のフィルタ組立体。
【請求項７】
前記ベースフィルムは、選択波長吸収フィルム、近赤外線遮蔽フィルム、及び透過率調節フィルムからなる群から選択された少なくとも１種のフィルムを備えることを特徴とする請求項１に記載のフィルタ組立体。
【請求項８】
前記選択波長吸収フィルムは、５６０〜６１０ｎｍの領域で最大吸収波長を有することを特徴とする請求項７に記載のフィルタ組立体。
【請求項９】
前記電磁波遮蔽フィルタは、メッシュパターンを有する導電材を含むことを特徴とする請求項１に記載のフィルタ組立体。
【請求項１０】
前記電磁波遮蔽フィルタは、銅、銀、アルミニウム、白金、鉄、又はこれらの合金を含むことを特徴とする請求項９に記載のフィルタ組立体。
【請求項１１】
前記電磁波遮蔽フィルタは、金属層と金属酸化物とが積層されてなることを特徴とする請求項１に記載のフィルタ組立体。
【請求項１２】
第１基板と当該第１基板と結合される第２基板とを有し、放電時に画像を具現するパネル組立体と、
前記パネル組立体と結合され、前記パネル組立体と電気的信号を相互伝達する駆動回路ボードが装着されたシャーシベース組立体と、
前記パネル組立体の前方に設置され、ベースフィルムと、前記ベースフィルム上に形成された電磁波遮蔽フィルタと、前記ベースフィルム上に形成され、ヘイズ値が２０パーセント未満であり、鏡面反射率が１パーセント未満である表面反射フィルムとを有するフィルタ組立体と、
前記パネル組立体、前記シャーシベース組立体、及び前記フィルタ組立体を収容するケースと、を備えるプラズマ表示装置。
【請求項１３】
前記フィルタ組立体は、前記第１基板の前面に直接的に面接触して付着されたことを特徴とする請求項１２に記載のプラズマ表示装置。
【請求項１４】
前記表面反射フィルムは、直径１ｎｍ〜１ｍｍの複数の突起部が表面に形成された防眩フィルムを含むことを特徴とする請求項１３に記載のプラズマ表示装置。
【請求項１５】
前記表面反射フィルムは、低屈折層と高屈折層とが積層された反射防止フィルムを含むことを特徴とする請求項１３に記載のプラズマ表示装置。
【請求項１６】
前記表面反射フィルムは、直径１ｎｍ〜１ｍｍの複数の突起部が表面に形成された防眩フィルムと、低屈折層と高屈折層とが積層された反射防止フィルムとが付着された混合フィルムを含むことを特徴とする請求項１３に記載のプラズマ表示装置。
【請求項１７】
前記電磁波遮蔽フィルタは、前記ベースフィルムの一の面に形成されて前記第１基板の表面に付着され、前記表面反射フィルムは、前記ベースフィルムの他の面に形成されたことを特徴とする請求項１３に記載のプラズマ表示装置。
【請求項１８】
前記ベースフィルムは、選択波長吸収フィルム、近赤外線遮蔽フィルム、及び透過率調節フィルムからなる群から選択された少なくとも１種のフィルムを備えることを特徴とする請求項１３に記載のプラズマ表示装置。
【請求項１９】
前記選択波長吸収フィルムは、５６０〜６１０ｎｍの領域で最大吸収波長を有することを特徴とする請求項１８に記載のプラズマ表示装置。
【請求項２０】
前記電磁波遮蔽フィルタは、導電性ラインにより、前記ケース又は前記シャーシベース組立体に接地されていることを特徴とする請求項１３に記載のプラズマ表示装置。
【請求項２１】
前記電磁波遮蔽フィルタは、メッシュパターンを有する導電材を含むことを特徴とする請求項１３に記載のプラズマ表示装置。
【請求項２２】
前記電磁波遮蔽フィルタは、金属層と金属酸化物とが積層されてなることを特徴とする請求項１３に記載のプラズマ表示装置。
【請求項２３】
前記フィルタ組立体は、４０％の透過率を維持することを特徴とする請求項１３に記載のプラズマ表示装置。
【発明の詳細な説明】
【技術分野】
【０００１】
本発明は、フィルタ組立体及びこれを採用したプラズマ表示装置に関し、さらに詳細には、パネル組立体の光学的特性を向上させるために構造の改善されたフィルタ組立体及びこれを採用したプラズマ表示装置に関する。
【背景技術】
【０００２】
一般的に、プラズマ表示装置（ｐｌａｓｍａ  ｄｉｓｐｌａｙ  ｐａｎｅｌ  ｄｅｖｉｃｅ）は、複数の放電電極が配置されたパネル組立体内に放電ガスを注入して密閉した後、複数の放電電極対に所定の放電電圧を印加し、加えた放電電圧によって放電空間内の蛍光体層の蛍光体が発光し、所望する数字、文字、グラフィックを具現する平板表示装置（ｆｌａｔ  ｄｉｓｐｌａｙ  ｄｅｖｉｃｅ）をいう。
【０００３】
プラズマ表示装置は、放電セルに印加される駆動電圧の形式、例えば、放電形式によって直流型と交流型とに分類され、放電電極の配置状態によって対向放電型と面放電型とに区分される。
【０００４】
図１を参照すれば、従来のプラズマ表示装置１００は、パネル組立体１１０と、パネル組立体１１０の後方に設置されたシャーシベース組立体１２０と、パネル組立体１１０の前方に設置されたフィルタ組立体１３０と、パネル組立体１１０、シャーシベース組立体１２０、及びフィルタ組立体１３０を収容するケース１４０と、を備えている。このとき、フィルタ組立体１３０は、導電性ライン１５０を介してケース１４０内部のシャーシ部分に連結されて接地している。
【０００５】
プラズマ表示装置１００を駆動させれば、パネル組立体１１０もしくはシャーシベース組立体１２０に装着された駆動回路ボードから電磁波及び赤外線が放出されたり、または、約５９０ｎｍ領域でネオンが発光されたりする。
【０００６】
このとき、電磁波は、人体に対する有害性を防止するために遮断しなければならず、赤外線領域の光は、リモコンのような携帯用電子機器間の誤作動を誘発するために、遮断する必要がある。また、５９０ｎｍ領域でのネオン発光は、画質の向上のために遮断する必要があり、外光の反射による視認性低下を防止するために、反射防止処理も必要である。
【０００７】
フィルタ組立体１３０は、上述したすべての機能を満足して設置されることが望ましい。従来の場合、厚膜型のガラス基板又は厚膜型のプラスチック基板上に、反射防止フィルム又は電磁波遮蔽フィルタが付着された状態で、パネル組立体１１０の前方に設置されたフィルタホルダのような支持部材によって結合されている。
【０００８】
ところで、従来の場合のように、厚膜型のガラス基板又は厚膜型のプラスチック基板を使用する場合、基板によって光の散乱が起こることがあり、部品数が増加することにより、製造コストが上昇し、組立工程数が複雑になるという問題点がある。
【０００９】
また、フィルタ組立体の製造時、電磁波の遮蔽効率を向上させ、赤外線領域の光とネオン発光とを最大限遮断し、視認性低下を防止して最適の画質品位を維持する必要がある。
【発明の開示】
【発明が解決しようとする課題】
【００１０】
本発明は、上記のような問題点を解決するためのものであり、パネル組立体に対してフィルタ組立体を一体的に組立てると共に、フィルタ組立体の効率を最大化させたフィルタ組立体及びこれを採用したプラズマ表示装置を提供するところにその目的がある。
【００１１】
本発明の他の目的は、視認性を向上させ、鏡面反射率を下げたフィルタ組立体及びこれを採用したプラズマ表示装置を提供することである。
【課題を解決するための手段】
【００１２】
上記のような目的を達成するために本発明の一側面によるフィルタ組立体は、ベースフィルムと、前記ベース上に形成された電磁波遮蔽フィルタと、前記ベース上に形成され、ヘイズ値が２０パーセント未満であり、鏡面反射率が１パーセント未満である表面反射フィルムと、を備える。
【００１３】
また、前記表面反射フィルムは、直径１ｎｍ〜１ｍｍの複数の突起部が表面に形成されたＡＧフィルムを含むことを特徴とする。
【００１４】
さらに、前記表面反射フィルムは、ヘイズ値が０.５〜１０パーセントであることを特徴とする。
【００１５】
さらに、前記表面反射フィルムは、低屈折層と高屈折層とが積層されたＡＲフィルムを含むことを特徴とする。
【００１６】
さらに、前記表面反射フィルムは、直径１ｎｍ〜１ｍｍの複数の突起部が表面に形成されたＡＧフィルムと、低屈折層と高屈折層とが積層されたＡＲフィルムとが付着された混合フィルムを含むことを特徴とする。
【００１７】
併せて、前記電磁波遮蔽フィルタは、前記ベースフィルムの一の面に形成され、前記表面反射フィルムは、前記ベースフィルムの他の面に形成されたことを特徴とする。
【００１８】
本発明の他の目的を達成するために、本発明の一側面によるプラズマ表示装置は、第１基板と当該第１基板と結合される第２基板とを有し、放電時に画像を具現するパネル組立体と、前記パネル組立体と結合され、前記パネル組立体と電気的信号を相互伝達する駆動回路ボードが装着されたシャーシベース組立体と、前記パネル組立体の前方に設置され、ベースフィルムと、前記ベースフィルム上に形成された電磁波遮蔽フィルタと、前記ベース上フィルムに形成され、ヘイズ値が２０パーセント未満であり、鏡面反射率が１パーセント未満である表面反射フィルムとを有するフィルタ組立体と、前記パネル組立体、前記シャーシベース組立体、及び前記フィルタ組立体を収容するケースと、を備える。
【００１９】
また、前記フィルタ組立体は、前記第１基板の前面に直接的に面接触して付着されたことを特徴とする。
【００２０】
さらに、前記表面反射フィルムは、直径１ｎｍ〜１ｍｍの複数の突起部が表面に形成されたＡＧフィルムを含むことを特徴とする。
【００２１】
さらに、前記表面反射フィルムは、低屈折層と高屈折層とが積層されたＡＲフィルムを含むことを特徴とする。
【００２２】
併せて、前記表面反射フィルムは、直径１ｎｍ〜１ｍｍの複数の突起部が表面に形成されたＡＧフィルムと、低屈折層と高屈折層とが積層されたＡＲフィルムとが付着された混合フィルムを含むことを特徴とする。
【００２３】
さらに、前記電磁波遮蔽フィルタは、導電性ラインにより、前記ケース又は前記シャーシベース組立体に接地されていることを特徴とする。
【発明の効果】
【００２４】
本発明のフィルタ組立体及びこれを採用したプラズマ表示装置は、次のような効果を得ることができる。
【００２５】
第一に、特定範囲内のヘイズ値を有する表面反射フィルムを採用することにより、鏡面反射による物体の映り込みが発生せず、視認性が優秀である。
【００２６】
第二に、特定範囲内のヘイズ値を有するＡＧフィルム及びＡＲフィルムのうち、少なくともいずれか一つからなる表面反射フィルムを使用することにより、プラズマ表示装置の品質を向上させることができる。
【００２７】
第三に、パネル組立体の前面にフィルタ組立体が直接的に付着されることにより、別途のフィルタ組立体を支持する手段が必要なく、フィルタ組立体の部品数が減少し、全体的な厚さを狭めることができる。
【発明を実施するための最良の形態】
【００２８】
以下、添付された図面を参照しつつ、本発明の望ましい実施形態によるプラズマ表示装置について詳細に説明する。
【００２９】
図２は、本発明の一実施形態によるプラズマ表示装置２００を図示した分離斜視図であり、図３は、図２のプラズマ表示装置２００が結合された状態を図示したものである。
【００３０】
図２及び図３を参照すれば、プラズマ表示装置２００は、パネル組立体２１０と、パネル組立体２１０の後方に結合されるシャーシベース組立体２３０と、パネル組立体２１０の前面に付着されるフィルタ組立体２５０と、パネル組立体２１０、シャーシベース組立体２３０、及びフィルタ組立体２５０を収容するケース２７０と、を備える。
【００３１】
パネル組立体２１０は、第１基板２１１と、第１基板２１１と結合された第２基板２１２とを備える。第１基板２１１と第２基板２１２との間の内部空間は、相互に対向する面の縁部に形成されたシーラント（図示せず）によって密閉されている。
【００３２】
パネル組立体２１０の後方には、シャーシベース組立体２３０が結合されている。すなわち、第２基板２１２の背面には、接着部材によってシャーシベース２３１が結合されている。接着部材は、第２基板２１２の背面中央に付着され、駆動中のパネル組立体２１０から発生する熱をシャーシベース２３１に伝達する熱伝導シート２３２と、第２基板２１２の背面エッジに沿って付着され、第２基板２１１に対してシャーシベース２３１を固定させる両面テープ２３３とを備える。
【００３３】
シャーシベース２３１の背面には、複数の駆動回路ボード２３４が設置されている。駆動回路ボード２３４には、複数の回路素子２３５が実装されている。回路素子２３５には、ＦＰＣ（Ｆｌｅｘｉｂｌｅ  Ｐｒｉｎｔｅｄ  Ｃａｂｌｅ）のような信号伝達部２３６の一端が電気的に連結されている。信号伝達部２３６の他端は、パネル組立体２１０の電極端子と接続され、パネル組立体２１０と駆動回路ボード２３５との間の電気的信号を相互に伝達している。信号伝達部２３６は、駆動集積回路（以下、“駆動ＩＣ”と称する）２３６ａと、駆動ＩＣ２３６ａと電気的に連結された複数のリード２３６ｂと、リード２３６ｂを埋め込む柔軟性を有するフィルム２３６ｃとを備える。
【００３４】
シャーシベース２３１の上下端の背面には、この強度を補強するために、シャーシ補強部材２３７が付着されている。シャーシベース２３１の上下端の後方には、信号伝達部２３６の破損を防止するために、カバープレイト２３８が設置されている。
【００３５】
信号伝達部２３６は、シャーシベース２３１とカバープレイト２３６との間に位置している。駆動ＩＣ２３６ａとシャーシ補強部材２３７との間には、サーマルグリース（ｔｈｅｒｍａｌ  ｇｒｅａｓｅ）２３９が介在しており、駆動ＩＣ２３６ａとカバープレイト２３８との間には、シリコン層２４０が形成されている。
【００３６】
第１基板２１１の前面には、フィルタ組立体２５０が付着されている。フィルタ組立体２５０は、パネル組立体２１０から発生する電磁波、赤外線、ネオン発光、及び外光の反射を遮断するために、複数枚のフィルムが積層されている。
【００３７】
パネル組立体２１０、シャーシベース組立体２３０、及びフィルタ組立体２４０は、ケース２７０内に収容されている。ケース２７０は、フィルタ組立体２５０の前方に設置されたフロントキャビネット２７１と、シャーシベース組立体２３０の後方に設置されたカバーバック２７２とからなる。カバーバック２７２の上下端には、複数の通孔２７３が形成されている。
【００３８】
ここで、パネル組立体２１０の前面には、フィルタ組立体２５０が直接的に付着されている。
【００３９】
さらに詳細に説明すれば、次の通りである。
【００４０】
図４は、本発明の一実施形態によるフィルタ組立体２５０を図示したものである。
【００４１】
図面を参照すれば、フィルタ組立体２５０は、ベースフィルム２５１と、ベースフィルム２５１の一の面に形成された電磁波遮蔽フィルタ２５２と、ベースフィルム２５１の他の面に形成された表面反射フィルム２５３とを備える。
【００４２】
ベースフィルム２５１は、近赤外線遮蔽フィルム２５４と、透過率調節フィルム２５５と、選択波長吸収フィルム２５６とを備える。
【００４３】
近赤外線遮蔽フィルム２５４は、画面発光時に使われる不活性ガスのプラズマによる近赤外線の不要な発光を遮蔽するためのものである。透過率調節フィルム２５５は、フィルタ組立体２５０を介して透過される光の量を調節するためのものであり、本実施形態では、４０％の透過率を維持している。選択波長吸収フィルム２５６は、５９０ｎｍ領域でのネオン発光を遮蔽するためのものであり、本実施形態では、５６０〜６１０ｎｍの領域で最大吸収波長を有している。近赤外線遮蔽フィルム２５４、透過率調節フィルム２５５、及び選択波長吸収フィルム２５６は、連続して互いに付着されている。それ以外にも、ベースフィルム２５１は、多様な機能を有するフィルムを追加的に設けることができる。
【００４４】
第１基板２１１とベースフィルム２５１との間には、電磁波遮蔽フィルタ２５２が介在されている。電磁波遮蔽フィルタ２５２は、第１基板２１１の前面に直接的に付着されている。すなわち、第１基板２１１とフィルタ組立体２５０との間には、別途の空間が形成されず、電磁波遮蔽フィルタ２５２が第１基板２１１の表面に面接触して付着されている。
【００４５】
電磁波遮蔽フィルタ２５２は、次のような理由で使われている。
【００４６】
プラズマ表示装置２００が駆動中、パネル組立体２１０又は駆動回路ボード２３４の回路素子２３５から電磁波が発生する。発生した電磁波は、他の電子装置の誤作動を誘発し、人体に悪影響を及ぼすこととなる。このような理由により、必ず電磁波は遮蔽されなければならないが、電磁波遮蔽フィルタ２５２が電磁波を遮蔽する機能を行う。
【００４７】
このために、電磁波遮蔽フィルタ２５２は、図８に示されているように、微細な金属性メッシュ２５２ａが形成された導電性シート２５２ｂからなっている。金属性メッシュ２５２ａは、第１基板２１１と対応する導電性シート２５２ｂの中央領域にパターン化されている（図９参照）。
【００４８】
電磁波遮蔽フィルタ２５２は、銅、銀、アルミニウム、白金、金、鉄、又はそれらの合金のような電気伝導性にすぐれる素材からなりうる。代案としては、導電性を有するセラミック材又は炭素ナノチューブを使用することができる。
【００４９】
このとき、導電性シート２５２ｂは、導電性ライン３０１（図３参照）により、シャーシベース組立体２３０の端部に接地されている。代案としては、導電性ライン３０１は、ケース２７０の導電性部材に連結されうる。
【００５０】
電磁波遮蔽フィルタ２５２は、金属性メッシュ２５２ａの形状をパターン化するために、多様な製造方式があるが、メッキ又はエッチングによる方式が、製造工程が簡単であって、パターンの定形化に有利である。
【００５１】
代案としては、電磁波遮蔽フィルタは、ＩＴＯ膜のような透明導電膜と、その上部に酸化されて積層される銅のような導電性に優れる金属層とから形成されることができる。
【００５２】
再び、図４に戻って説明すれば、ベースフィルム２５１の前面、すなわち、第１基板２１１と対向するベースフィルム２５１の対向面の反対面には、表面反射フィルム２５３が付着されている。
【００５３】
表面反射フィルム２５３は、外光の反射による視認性低下を防止するために、ＡＧ（Ａｎｔｉ−Ｇｌａｒｅ：防眩）フィルム２５７と、ＡＧフィルム２５７の前面に付着されたＡＲ（Ａｎｔ−Ｒｅｆｅｌｃｔｉｏｎ：反射防止）フィルム２５８とのうち、少なくともいずれか一つを備える。
【００５４】
ＡＧフィルム２５７は、表面に直径が１ｎｍ〜１ｍｍの突起部、望ましくは、０．５〜２０μｍの突起部が形成されて光を散乱させる。突起部が分布する面積は、ＡＧフィルム２５７の面積の５０％以下が望ましい。ＡＧフィルム２５７の面積の５０％以上である場合、ＡＧフィルム２５７は、外光反射を低下させる機能は向上するが、パネルで具現される映像がＡＧフィルム２５７を通過するとき、ヘイズが高いので、結果的に鮮明な映像を得られない。
【００５５】
ＡＲフィルム２５８は、低屈折層と高屈折層との積層による光の位相差によって光を相殺減少させる。ＡＧフィルム２５７とＡＲフィルム２５８とが混合された表面反射フィルム２５３は、２０％以下のヘイズ値、望ましくは、０．５〜１０％のヘイズ値を有する。ヘイズ値が２０％よりも高ければ、画像の鮮明度が低下する。また、表面反射フィルム２５３は、鏡面反射率が１％未満の範囲を有する。
【００５６】
図４以外にも、フィルタ組立体２５０は、フィルム（２５１〜２５３）を多様に組み合わせることによって構成できる。
【００５７】
例えば、図５の場合のように、第１基板２１１の前面に電磁波遮蔽フィルム２５２が直接的に付着され、電磁波遮蔽フィルム２５２の前面に、近赤外線遮蔽フィルム２５４と透過率調節フィルム２５５とが連続して付着され、透過率調節フィルム２５５の前面に、ＡＧフィルム２５７とＡＲフィルム２５８とが順次に付着されうる。この場合にも、ＡＧフィルム２５７とＡＲフィルム２５８とが混合された表面反射フィルムは、２０％以下のヘイズ値、望ましくは、０．５〜１０％のヘイズ値を有し、１％未満の鏡面反射率を有する。
【００５８】
また、図６の場合のように、第１基板２１１の前面に、電磁波遮蔽フィルム２５２が直接的に付着され、電磁波遮蔽フィルム２５２の前面に、近赤外線遮蔽フィルム２５４と透過率調節フィルム２５５とが順次に付着され、透過率調節フィルム２５５の前面に、ＡＧフィルム２５７が付着されうる。この場合にも、ＡＧフィルム２５７は、２０％以下のヘイズ値、望ましくは、０．５〜１０％のヘイズ値を有し、１％未満の鏡面反射率を有する。
【００５９】
さらに、図７の場合のように、第１基板２１１の前面に、電磁波遮蔽フィルム２５２が直接的に付着され、電磁波遮蔽フィルム２５２の前面に、近赤外線遮蔽フィルム２５４と透過率調節フィルム２５５とが連続して付着され、透過率調節フィルム２５５の前面に、ＡＲフィルム２５８が付着されうる。この場合にも、ＡＲフィルム２５８は、２０％以下のヘイズ値、望ましくは、０．５〜１０％のヘイズ値を有し、１％未満の鏡面反射率を有する。
【００６０】
上記のような構造を有するプラズマ表示装置２００は、駆動中にパネル組立体２１０又は駆動回路ボード２３４の回路素子２３５から電磁波が発生する。電磁波は、第１基板２１１の前面に直接的に付着された電磁波遮蔽フィルタ２５２を介して誘導され、電磁波遮蔽フィルタ２５２と電気的に連結された導電性ライン３０１を介してシャーシベース２３１に接地することとなる。
【００６１】
これと共に、画面発光時に発生する近赤外線は、近赤外線遮蔽フィルム２５４によって遮断され、５９０ｎｍ領域でのネオン発光は、選択波長吸収フィルム２５６によって遮蔽され、外光による視認性は、表面反射フィルム２５３によって改善される。
【００６２】
以下、本出願人の実験によるフィルタ組立体の特性を評価した結果は、表１に示されている通りである。
【００６３】
【表１】
2007279736.tif 000003
【００６４】
ここで、日本電色工業（株）のヘイズメータ１０００を利用してヘイズを測定する方法は、図１０に示されている通りである。
【００６５】
図１０は、ヘイズメータ１０００のセンサ部分の内部構造を図示したものである。
【００６６】
図面を参照すれば、ハロゲンランプ１０１０から出射された光は、透明または半透明のサンプル１０２０を透過し、１５０ｍｍ径の積分球（ｉｎｔｅｇｒａｔｉｎｇ  ｓｐｈｅｒｅ）１１００内に入射する。
【００６７】
このとき、光は、サンプル１０２０により、拡散光（ｄｉｆｆｕｓｅｄ  ｌｉｇｈｔ）と平行光（ｐａｒａｌｌｅｌ  ｌｉｇｈｔ）とに分離され、分離された光は、積分球１１００内で反射し、受光素子１０４０に集光される。積分球１１００内には、硫酸バリウムがコーティングされており、あらゆる光を反射する。
【００６８】
受光素子１０４０によって集光された光は、計測部１０５０に伝達され、所望の特定データがディスプレイに出力される。また、測定光は、回転モータ１０３０によって計算可能である。回転モータ１０３０は、白色の円１０３１を介して光を反射させ、黒色の円１０３２を介して光を通過させ、平行光と透過光とを分離する。回転モータ１０３０は、測定時に常に回転している。
【００６９】
これによるヘイズの算出式は、数式（１）の通りである。
【００７０】
ヘイズ値（％）＝（拡散光／全透過光）×１００…（１）
このとき、平行光は、数式（２）のように、全透過光から拡散光を差し引いた値とする。
【００７１】
平行光＝全透過光−拡散光…（２）
このとき、ヘイズメータ１０００で測定される波長の範囲は、次の通りである。
【００７２】
ヘイズは、４００〜７００ｎｍのＹｃの特性を示し、Ｙｃを使用するということは、国際規格に記載されている。例えば、図１１のように、Ｘ軸は可視光線領域（ｎｍ）を示し、Ｙ軸は透過率を示すが、Ｙｃ曲線は、可視光線領域を全般的に分布させており、特に、５５５ｎｍのピーク値を有している。
【００７３】
従って、ヘイズの波長領域は、５５５ｎｍを最高値とする可視光線領域であると測定されている。
【００７４】
また、鏡面反射測定は、韓国ＰＳＩ社のＤａｒｓａ  ｐｒｏ−５０００を利用し、光を３０°の角度で入射させ、正反射される光の量を測定することによって求めた。
【００７５】
一方、電磁波遮蔽フィルタとしては、開口率９０％の銅メッシュを使用し、フィルタ組立体の全体透過率は４０％に調節し、表面反射フィルムは、ヘイズがＸ１％であるＡＲフィルム（比較例１）又はＡＧフィルム（比較例２）、本発明の一実施形態によるＡＲフィルムとＡＧフィルムとの混合フィルム（実施例１、２）を使用し、フィルタ組立体全体のヘイズをＸ２％に構成している。また、フィルタ組立体が付着されるガラスの鏡面反射率の絶対値は４．２％である。
【００７６】
表１を参照すれば、比較例１の場合、フィルタヘイズは２．３％であり、表面反射フィルムのヘイズは０．６％であり、鏡面反射率は１．０８％であり、鏡面反射による物体の映り込み（ｒｅｆｌｅｃｔｉｏｎ  ｏｆ  ｏｂｊｅｃｔｓ）は発生し、視認性は基準をパスした。比較例２の場合、フィルタヘイズは３２．３％であり、表面反射フィルムのヘイズは３０％であり、鏡面反射率は０．０３％であり、物体の映り込みは発生せず、視認性は基準をパスできていない。
【００７７】
これに対し、実施例１の場合、フィルタヘイズは４．７％であり、表面反射フィルムのヘイズは２．９５％であり、鏡面反射率は０．８７％であり、鏡面反射による物体の映り込みは発生せず、視認性は基準をパスしている。実施例２の場合、フィルタヘイズは８．８７％であり、表面反射フィルムのヘイズは５．７０％であり、鏡面反射率は０．４４％であり、物体の映り込みは発生せず、視認性は基準をパスしている。
【００７８】
これを整理すれば、フィルタヘイズ値と、表面反射フィルムのヘイズ値と、鏡面反射率は、小さければ小さいほど有利であるが、本発明の一実施形態による実施例１及び実施例２は、フィルタヘイズ値がそれぞれ４．７％、８．８７％であり、表面反射フィルムのヘイズ値がそれぞれ２．９５％、５．７０％であり、鏡面反射率は０．８７％、０．４４％であり、フィルタ及び表面反射フィルムのヘイズ値と鏡面反射率とがそれぞれ３２．３％、３０％、０．０３％である比較例２よりは、フィルタと表面反射フィルムとのヘイズ値は低く、鏡面反射率は高かった。また、実施例１及び実施例２は、物体の映り込みが発生しておらず、視認性が良好である一方、比較例２は、視認性が良好ではない。
【００７９】
また、比較例１の場合、フィルタと表面反射フィルムとのヘイズ値がそれぞれ２．３％、０．６％であり、本発明の一実施形態による実施例１及び実施例２に比べて低いが、鏡面反射率は１．０８％であり、物体の映り込みが発生している。
【００８０】
このように、本願発明のフィルタ組立体は、鏡面反射による物体の映り込みが発生せず、視認性は、いずれも基準をパスしている。
【００８１】
本発明は、図面に図示された一実施形態を参考に説明されたが、それらは例示的なものに過ぎず、本技術分野の当業者ならば、それらから多様な変形及び均等な他の実施形態が可能であるという点を理解することができるであろう。従って、本発明の真の技術的保護範囲は、特許請求の範囲の技術的思想によってのみ決まるものである。
【産業上の利用可能性】
【００８２】
本発明のフィルタ組立体及びこれを採用したプラズマ表示装置は、例えば、ディスプレイ関連の技術分野に効果的に適用可能である。
【図面の簡単な説明】
【００８３】
【図１】従来のプラズマ表示装置を図示した構成図である。
【図２】本発明の一実施形態によるプラズマ表示装置を図示した分離斜視図である。
【図３】図２のプラズマ表示装置の結合された状態を図示した断面図である。
【図４】本発明の一実施形態によるフィルタ組立体を拡大図示した断面図である。
【図５】本発明の他の実施形態によるフィルタ組立体を拡大図示した断面図である。
【図６】本発明のさらに他の実施形態によるフィルタ組立体を拡大図示した断面図である。
【図７】本発明のさらに他の実施形態によるフィルタ組立体を拡大図示した断面図である。
【図８】本発明の電磁波遮蔽フィルタを図示した平面図である。
【図９】図８の部分拡大図である。
【図１０】一般的なヘイズメータの構成図である。
【図１１】可視光線による透過率を図示したグラフである。
【符号の説明】
【００８４】
１００，２００    プラズマ表示装置、
１１０，２１０    パネル組立体、
１２０，２３０    シャーシベース組立体、
１３０，２５０    フィルタ組立体、
１４０，２７０    ケース、
１５０，３０１    導電性ライン、
２１１    第１基板、
２１２    第２基板、
２３１    シャーシベース、
２３２    熱伝導シート、
２３３    両面テープ、
２３４    駆動回路ボード、
２３５    回路素子、
２３６    信号伝達部、
２３６ａ    駆動ＩＣ、
２３６ｂ    リード、
２３６ｃ    フィルム、
２３７    シャーシ補強部材、
２３８    カバープレイト、
２３９    サーマルグリース、
２４０    シリコン層、
２５１    ベースフィルム、
２５２    電磁波遮蔽フィルム、
２５２ａ    金属製メッシュ、
２５２ｂ    導電性シート、
２５３    表面反射フィルム、
２５４    近赤外線遮蔽フィルム、
２５５    透過率調節フィルム、
２５６    選択波長吸収フィルム、
２５７    ＡＧフィルム、
２５８    ＡＲフィルム、
２７１    フロントキャビネット、
２７２    カバーバック、
２７３    通孔、
１０００    ヘイズメータ、
１０１０    ハロゲンランプ、
１０２０    サンプル、
１０３０    回転モータ、
１０３１    白色の円、
１０３２    黒色の円、
１０４０    受光素子、
１０５０    計測部、
１１００    積分球。
【図１】
2007279736.tif 000004
【図２】
2007279736.tif 000005
【図３】
2007279736.tif 000006
【図４】
2007279736.tif 000007
【図５】
2007279736.tif 000008
【図６】
2007279736.tif 000009
【図７】
2007279736.tif 000010
【図８】
2007279736.tif 000011
【図９】
2007279736.tif 000012
【図１０】
2007279736.tif 000013
【図１１】
2007279736.tif 000014